【事件の表示】
　上記当事者間の登録第４６９６６３１号商標の登録取消審判事件について、次のとおり審決する。
【結　論】
　本件審判の請求は、成り立たない。
　審判費用は、請求人の負担とする。
【理　由】
第１　本件商標
　本件登録第４６９６６３１号商標（以下「本件商標」という。）は、「アルバック」の文字を書してなり、平成１２年１２月１９日に登録出願、第１類、第２類、第４類、第６類、第７類、第８類、第９類、第１０類、第１１類、第１４類、第１６類、第１７類、第２１類、第３７類、第４０類及び第４２類に属する商標登録原簿に記載のとおりの商品及び役務を指定商品及び指定役務として、同１５年８月１日に設定登録されたものである。
　そして、本件商標は、商標登録原簿に記載のとおりの商品及び役務の区分第９類、第１０類、第１６類、第１７類及び第２１類の指定商品について、一部放棄による一部抹消の登録が同１６年１２月１４日になされ、その後、商標登録原簿に記載のとおりの商品及び役務の区分第９類、第１０類、第１６類、第１７類及び第２１類の指定商品について、一部無効審判の確定の登録が同１７年７月２９日になされ、さらにその後、商標登録原簿に記載のとおりの商品及び役務の区分第１７類の指定商品について、一部取消し審判の確定の登録が同２０年３月２７日になされたものである。
　
第２　請求人の主張
　請求人は、「本件商標は、第７類の『印刷用又は製本用の機械器具』についての登録を取り消す。審判費用は、被請求人の負担とする。」との審決を求め、その理由及び答弁に対する弁駁を要旨次のように述べ、証拠方法として、甲第１号証ないし甲第４号証を提出した。
１　請求の理由
　本件商標は、商標法第５０条第１項の規定により、その指定商品中、第７類の「印刷用又は製本用の機械器具」についての登録を取り消されるべきである。
　なお、請求人は、「請求の趣旨」おいて、本件商標は、第７類の「印刷用の機械器具及びその類似商品」について取消を求めたが、平成２０年７月１８日付け手続補正書により、請求の趣旨を「本件商標は、第７類の『印刷用又は製本用の機械器具』についての登録を取り消す。審判費用は、被請求人の負担とする。」旨補正した。
２　答弁に対する弁駁
（１）まず、請求人が取消しを求めている指定商品の範囲は、「第７類　印刷用又は製本用の機械器具」であり、かかる指定商品の範囲は、「印刷用又は製本用の機械器具」に該当する商品（類似群コード：０９Ａ１１）であると考えられる。
　そして、これらの商品は、情報伝達のために主に紙面に文字、記号又は画像を印刷（表示）する目的、用途のために使用される商品であり、その需要者は、印刷業者又は出版業者などである。
　それは、「印刷用」と「製本用」の機械器具が互いに類似する商品であると観念されていることからも明らかである。
（２）一方、被請求人は、「印刷用機械器具」の範疇に属する「インクジェット印刷装置（インクジェットプリンティング装置）」及び「スクリーン印刷機」について登録商標の使用を行っている旨、主張している。
　しかしながら、これらの商品は、「印刷」又は「プリンティング」という表現を用いているものの、「印刷」本来の目的である情報伝達のための文字、記号又は画像を被印刷面に表示する目的、用途のための商品ではなく、半導体の回路などを形成（加工）するために、銀ペーストなどを用いて電気配線を形成する目的・用途のために使用される商品などであって、「半導体製造装置」の範疇に属する商品（類似群コード：０９Ａ６８）であると考えられる。
　そして、これらの商品の需要者は、半導体製造メーカー、電子部品製造メーカーなどであって、印刷業者又は出版業者ではない。
　かかる事情は、（ａ）被請求人が提出した乙第２号証の１ないし３及び乙第３号証の１ないし３が「Ｓｅｍｉｃｏｎｄｕｃｔｏｒ ＦＰＤ Ｗｏｒｌｄ」という半導体製造、電子デバイス製造などに関する情報雑誌であること、（ｂ）乙第４号証及び乙第５号証が電気配線を製造するための装置に関するものであること、（ｃ）乙第６号証ないし乙第１１号証が半導体製造者などからの問い合わせであると思われること、からも明らかである。
　さらに、特許庁電子図書館における「商品・役務名リスト」による「半導体製造」についての検索結果（甲第３号証）において、半導体製造に関する商品は何れもその類似群コードが０９Ａ６８となっており、「印刷用又は製本用の機械器具」に該当する商品に付されている類似群コード「０９Ａ１１」はない。
　半導体又は電子回路の製造業者における「印刷」という用語の使用例として提出する甲第４号証には、「真空印刷」が半導体の微細孔を充填、封止するための技術であって、情報伝達のための文字、記号又は画像を被印刷面に表示するという本来の意味では「印刷」という用語が使用されていないことが明らかとなっている。
　このような半導体又は電子回路の製造業者間における用語の使用例からも明らかなとおり、商品の性質は、その商品の実際の使用目的、用途及び需要者の範囲を明らかにして判断すべきものであり、「印刷装置」、「インクジェットプリンティング装置」又は「スクリーン印刷機」といった名称が付されていることを以て当該商品が「印刷用又は製本用の機械器具」に該当する商品（類似群コード：０９Ａ１１）であると認定することはできない。
　よって、答弁書に添付の証拠資料によっては、「第７類　印刷用又は製本用の機械器具」について登録商標の使用の事実を立証することはできない。
　すなわち、被請求人による登録商標の使用は、その指定商品中「半導体製造装置」の範疇に属する商品（類似群コード：０９Ａ６８）についての使用であり、「印刷用又は製本用の機械器具」の範疇に属する商品（類似群コード：０９Ａ１１）についての使用とは認められず、その登録が取り消されるべきものである。
３　上記の理由により、本件商標は、第７類の指定商品中、「印刷用又は製本用の機械器具」について、継続して３年以上日本国内において、商標権者、専用使用権者、通常使用権者のいずれによっても使用されていないため、それらの指定商品について取消しを免れないものである。
　
第３　被請求人の答弁
　被請求人は、結論同旨の審決を求めると答弁し、その理由を要旨次のように述べ、証拠方法として、乙第１号証ないし乙第１５号証（枝番を含む。）を提出した。
　理由
１　被請求人は、本件商標と同一と認められるところの商標を商品及び役務の区分第７類の「印刷用機械器具」の範疇に属する「インクジェット印刷装置（インクジェットプリンティング装置）」について、遅くとも２００５年（平成１７年）１１月頃から現在に至るまで使用しているものである（乙第２号証ないし乙第１５号証）。
２　そこで、各証拠について説明すると、乙第２号証は、株式会社プレスジャーナルによって２００５年（平成１７年）１０月２０日に発行された雑誌「Ｓｅｍｉｃｏｎｄｕｃｔｏｒ　ＦＰＤ　Ｗｏｒｌｄ　２００５年１１月号」に掲載された被請求人の取り扱いに係る商品「インクジェット印刷装置（インクジェットプリンティング装置）」の宣伝広告の写しである。
　同じく、乙第３号証は、株式会社プレスジャーナルによって２００７年（平成１９年）３月２０日に発行された雑誌「Ｓｅｍｉｃｏｎｄｕｃｔｏｒ　ＦＰＤ　Ｗｏｒｌｄ　２００７年４月号」に掲載された被請求人の取り扱いに係る商品「大型インクジェット装置（大型インクジェットプリンティング装置）」の宣伝広告の写しである。
３　次に、乙第４号証及び乙第５号証は、被請求人のインターネットホームページ（ｈｔｔｐ：／／ｗｗｗ．ｕｌｖａｃ．ｃｏ．ｊｐ／）において、「スクリーン印刷機（Ｓｃｒｅｅｎ　Ｐｒｉｎｔｉｎｇ　Ｓｙｓｔｅｍ）」に関する製品（商品）情報を掲載した日本語によるホームページ（乙第４号証）と英語によるホームページ（乙第５号証）である。
　そして、「スクリーン印刷機（Ｓｃｒｅｅｎ　Ｐｒｉｎｔｉｎｇ　Ｓｙｓｔｅｍ）」に関する製品（商品）情報は、２００４年（平成１６年）６月から現在に至るまで被請求人の上記ホームページ上に掲載されており、ホームページ中の「お問い合わせ先」の「ｅｌｅｃ　ｉｎｆｏ」の文字列をマウスでクリックし、問い合わせをする者の情報、問い合わせ事項等を入力した後、送信することにより、被請求人から製品（商品）に関する各種の情報等の入手、さらには、打ち合わせの調整等ができるようになっている。
　乙第６号証ないし乙第１１号証は、商品「スクリーン印刷機（Ｓｃｒｅｅｎ　Ｐｒｉｎｔｉｎｇ　Ｓｙｓｔｅｍ）」について、２００５年（平成１７年）６月１６日から２００７年（平成１９年）８月１６日までの間に上記ホームページを見た者からの問い合わせのＥ−ｍａｉｌ（イーメイル）の記録を抜粋したものであって、乙第６号証は、２００５年（平成１７年）６月１６日（木曜日）に、東京都の需要者から問い合わせがあったことを示すＥ−ｍａｉｌ（イーメイル）の記録、乙第７号証は、２００５年（平成１７年）７月１４日（木曜日）に、滋賀県の需要者から問い合わせがあったことを示すＥ−ｍａｉｌ（イーメイル）の記録、乙第８号証は、２００５年（平成１７年）９月２０日（火曜日）に、東京都の需要者から問い合わせがあったことを示すＥ−ｍａｉｌ（イーメイル）の記録、乙第９号証は、２００５年（平成１７年）１０月２７日（木曜日）に、埼玉県の需要者から問い合わせがあったことを示すＥ−ｍａｉｌ（イーメイル）の記録、乙第１０号証は、２００６年（平成１８年）６月３０日（金曜日）に、インド国の需要者から問い合わせがあったことを示すＥ−ｍａｉｌ（イーメイル）の記録、乙第１１号証は、２００７年（平成１９年）８月１６日（木曜日）に、東京都の需要者から問い合わせがあったことを示すＥ−ｍａｉｌ（イーメイル）の記録である。
　これらのＥ−ｍａｉｌ（イーメイル）の記録が示すように、被請求人は、本件審判の請求の登録日前３年以内に日本国内において、本件商標を商品「スクリーン印刷機（Ｓｃｒｅｅｎ　Ｐｒｉｎｔｉｎｇ　Ｓｙｓｔｅｍ）」に使用している。
４　なお、使用商品である「インクジェット印刷装置（インクジェットプリンティング装置）」及び「スクリーン印刷機（Ｓｃｒｅｅｎ　Ｐｒｉｎｔｉｎｇ　Ｓｙｓｔｅｍ）」が商品及び役務の区分第７類に属する商品「印刷用又は製本用の機械器具」（商品類似群コード：０９Ａ１１）の範疇に属するものであることは、「インクジェット印刷装置、印刷ヘッドその他その部品及び附属品、その他の印刷用又は製本用の機械器具」を指定商品とする商標登録第４２９５９６８号が商品及び役務の区分第７類 （商品類似群コード：０９Ａ１１）で登録され、「インクジェット式印刷機、その他の印刷機」を指定商品とする商標登録第４４５３１４４号が商品及び役務の区分第７類（商品類似群コード：０９Ａ１１）で登録され、「インクジェット式段ボール印刷機、その他の印刷用又は製本用の機械器具」を指定商品とする商標登録第４９０９１２７号が商品及び役務の区分第７類（商品類似群コード：０９Ａ１１）で登録されていること及び特許電子図書館（ＩＰＤＬ）の商品・役務名リストにおいて「スクリーン印刷機」は、商品及び役務の区分第７類（商品類似群コード：０９Ａ１１）に属する商品として公表されていることからも明らかである（乙第１２号証ないし乙第１５号証）。
５　以上のとおり、本件商標は、その商品及び役務の区分第７類の「印刷用の機械器具」の範疇に属する商品である「インクジェット印刷装置」及び「スクリーン印刷機」について、本件審判の請求の登録前３年以内に日本国内において使用されていることは明らかであるから、商標法第５０条第１項の規定により、その請求に係る上記指定商品についての登録を取り消される限りでない。
　
第４　当審の判断
１　被請求人提出の乙第２号証ないし乙第４号証（枝番を含む。）及び乙第６号証ないし乙第１１号証（枝番を含む。）によれば、以下の事実が認められる。
（１）乙第２号証の１には、左最上部に「平成１７年１０月２０日発行（毎月１回２０日発行）」、表題として「Ｓｅｍｉｃｏｎｄｕｃｔｏｒ　ＦＰＤ　Ｗｏｒｌｄ」、その下に「半導体／ＦＰＤ／電子デバイス総合情報誌」の表示があること。乙第２号証の２には、左中央部に「アルバックは、半導体やディスプレイを初め、エネルギー・環境、バイオ、ファインケミカル、ナノテクまで、幅広い独創的な商品開発で、総合的なソリューションを提供しています。・・・」の記述、その下部右に機械装置の写真とともに「Ｌｉｔｒｅｘ　７０」、「インクジェットプリンティング装置」の記述、左最下部に「１０」、中央下部に「アルバック」、右最下部に「Ｓｅｍｉｃｏｎｄｕｃｔｏｒ　ＦＰＤ　Ｗｏｒｌｄ　２００５．１１」の記述があること。乙第２号証の３には、左上部に「広告索引、【あ行】・・・（株）アルバック−１０」、左下部に「Ｓｅｍｉｃｏｎｄｕｃｔｏｒ　ＦＰＤ　Ｗｏｒｌｄ、２００５年１１月号　第２４巻　第１１号、２００５年１０月２０日発行、・・・発行所　株式会社　プレスジャーナル・・・」及び右最下部に「Ｓｅｍｉｃｏｎｄｕｃｔｏｒ　ＦＰＤ　Ｗｏｒｌｄ　２００５．１１」の記述があること。
（２）乙第３号証の１には、左最上部に「平成１９年３月２０日発行（毎月１回２０日発行）」、表題として「Ｓｅｍｉｃｏｎｄｕｃｔｏｒ　ＦＰＤ　Ｗｏｒｌｄ」、その下に「半導体／ＦＰＤ／電子デバイス総合情報誌」の表示があること。乙第３号証の２には、右下部に機械装置の写真とともに「Ｌｉｔｒｅｘ Ｍシリーズ」、「大型インクジェット装置」の記述、左最下部に「１６」、中央最下部に「ＵＬＶＡＣ」、「アルバック」及びインターネットのアドレス表示、右最下部に「Ｓｅｍｉｃｏｎｄｕｃｔｏｒ　ＦＰＤ　Ｗｏｒｌｄ　２００７．４」の記述があること。乙第３号証の３には、左上部に「広告索引、【あ行】・・・（株）アルバック−１６」、左下部に「Ｓｅｍｉｃｏｎｄｕｃｔｏｒ　ＦＰＤ　Ｗｏｒｌｄ、２００７年４月号　第２６巻　第４号、２００７年３月２０日発行、・・・発行所　株式会社　プレスジャーナル・・・」及び右最下部に「Ｓｅｍｉｃｏｎｄｕｃｔｏｒ　ＦＰＤ　Ｗｏｒｌｄ　２００７．４」の記述があること。
（３）乙第４号証は、２００７年１２月３日付け打ち出しの被請求人のインターネットホームページの写しで、上から「ＵＬＶＡＣ」、「電子部品用装置」、「微細配線用スクリーン印刷機ＵＭＴ−５５０」の表示、「従来メッキやエッチング等により形成されていた金属配線を印刷技術で可能にし、…、低温焼成で低抵抗の配線膜を得ることができます。」の記述、その右部に機械装置の写真が表示されていること。
（４）乙第６号証ないし乙第１１号証は、２００５年（平成１７年）６月１６日から２００７年（平成１９年）８月１６日までのＥ−ｍａｉｌの記録とその抜粋の部分訳文で、「微細配線用スクリーン印刷機ＵＭＴ−５５０」、「スクリーン印刷機ＵＭＴ−５５０」、「微細配線用スクリーン印刷機」についてのコメント等が記述されていること。
２　以上の事実を前提として、本件審判の取消し請求に係る「印刷用又は製本用の機械器具」についてみるに、商標法施行規則第６条別表及び類似商品役務審査基準（第８版）の第７類中の「印刷用又は製本用の機械器具」に、具体的に例示されている商品は、「凹版印刷機」、「活字鋳造機」、「グラビア印刷機」、「字母」、「字母用箱」、「写真植字機」、「写真製版機械」、「製本機械」、「凸版印刷機」、「平版印刷機」であり、また、商品及び役務の区分解説〔国際分類第８版対応〕によれば、「印刷用又は製本用の機械器具」は、「この概念には、印刷又は製本機械器具の大部分が含まれる。」と解説されている。
　一方、請求人の主張する「半導体製造装置」は、商品及び役務の区分解説〔国際分類第８版対応〕何らの解説もなく、商標法施行規則第６条別表及び類似商品役務審査基準（第８版）の第７類中に個別に例示されているものである。
　そして、「商品大辞典」（昭和６０年６月１５日 第８刷）２７２頁の「ｃ 印刷・製本機械」の項によれば、「印刷は従来，文書，書籍，雑誌，新聞，宣伝物，など記録の保存および情報の伝達の重要な役割を果たしつつ発達してきたが，近時特に印刷産業として，各種包装材料への印刷，プラスチック材料への印刷，さらに金属，建材，布地への印刷，また印刷製版技術を応用してエロクトロニクス部門への進出など，衣，食，住，すべての面に大幅な発展を続けている。その中で印刷機械も，最近は各種の新素材，油圧・エロクトロニクスによる自動制御，精密加工技術の応用などにより，高度に自動化され，高速化，高精度化され，高品質の印刷物がハイスピードで生産されるようになっている。」と記述されており、印刷機械は、エロクトロニクスによる自動制御、精密加工技術の応用などにより、被印刷物が紙に限られずプラスチック、金属、外あらゆる材料を対象として発展し続けていると理解されるものである。
　一方、請求人の主張する「半導体製造装置」には、同人の提出に係る甲第３号証及び甲第４号証よりすると、半導体製造に用いる専用の洗浄装置、同ろ過器など、半導体製造に用いる専用の装置、又はその機械器具が挙げられるところであり、被請求人が使用しているとする「スクリーン印刷機」が、専ら半導体製造に用いられる専用の装置か、又はその機械器具とは理解し難いものである。
　したがって、この点に関する請求人の主張は、採用し難いものである。
３　以上を総合すると、被請求人の使用しているとする「スクリーン印刷機」は、精密加工技術の応用などにより、最近の各種新素材を被印刷物とする「印刷用の機械」というのが相当である。
４　以上のとおりであるから、被請求人は、商標権者が本件審判の請求の登録前３年以内に日本国内において、本件商標を請求に係る第７類の指定商品中の「印刷用又は製本用の機械器具」について使用していたことを証明したというべきである。
　したがって、本件商標の登録は、請求に係る第７類の指定商品中の「印刷用又は製本用の機械器具」について、商標法第５０条第１項の規定により、取り消すことはできない。
　よって、結論のとおり審決する。